(57)【要約】【課題】  投球機における球の加速用の回転輪の成形作業が容易にできるようにすると共に、この回転輪を軽量にさせる。また、投球機による球の投球精度が良好なままに維持されるようにする。【解決手段】  互いに平行な各軸心３，３回りで互いに逆方向Ａ，Ａに回転可能とされる一対の回転輪６，６を並設する。各回転輪６，６が、軸心３上に位置する円板体９と、この円板体９の外周面１０に外嵌されてこの外周面１０に加硫接着されるゴム製の弾性環状体１１とを備える。互いに逆方向Ａ，Ａに回転する両回転輪６，６の両環状体１１，１１の外周面１２，１２に球２３が挟まれて、この球２３が投球されるようにする。環状体１１の側面１６に、軸心３を中心とする環状溝１８を成形する。【選択図】    図１
2005034510.tif 000002
【特許請求の範囲】
【請求項１】
互いに平行な各軸心回りで互いに逆方向に回転可能とされる一対の回転輪を並設し、上記各回転輪が、上記軸心上に位置する円板体と、この円板体の外周面に外嵌されてこの外周面に加硫接着されるゴム製の弾性環状体とを備え、互いに逆方向に回転する上記両回転輪の両環状体の外周面に球が挟まれて、この球が投球されるようにした投球機において、
上記環状体の側面に、上記軸心を中心とする環状溝を成形したことを特徴とする投球機における回転輪構造。
【請求項２】
上記環状体の側面の径方向での中央部よりも、上記環状溝を上記径方向での内方側に位置させたことを特徴とする請求項１に記載の投球機における回転輪構造。
【請求項３】
上記円板体の径方向外端部における側面と、上記環状体の側面とをほぼ面一の連続面とし、上記円板体における外周面と側面との角部を円弧凸形状となるよう面取り加工したことを特徴とする請求項１、もしくは２に記載の投球機における回転輪構造。
【発明の詳細な説明】
【技術分野】
【０００１】
本発明は、野球の打撃練習などに利用される投球機に関し、より詳しくは、投球機における球の加速用の回転輪構造に関する。
【背景技術】
【０００２】
投球機には、従来、下記特許文献１で示されるものがある。この公報のものによれば、互いに平行な各軸心回りで互いに逆方向に回転可能とされる一対の回転輪が並設され、上記各回転輪が、上記軸心上に位置して円板形状をなす円板体と、この円板体の外周面に外嵌されてこの外周面に加硫接着されるゴム製の弾性環状体とを備えている。
【０００３】
そして、上記両回転輪を互いに逆方向に回転させ、この回転に伴い上記両回転輪の両外周面が互いに接近する側である後方から上記両回転輪の外周面間に球を供給すれば、この球は上記両環状体の外周面に挟まれ、これら両外周面から与えられる摩擦力により加速されて、前方に向かって勢いよく投球される。この場合、上記両回転輪を高速回転させれば、これに伴い上記球の投球速度も、より高速となる。
【０００４】
ここで、上記したように回転輪が回転し、これに伴い上記環状体に遠心力が生じるとき、この環状体は弾性体であるため、この環状体は上記遠心力により径方向外方に向かって伸長するよう弾性変形し、また、これに伴い、この環状体はその軸方向の各端部が上記軸方向での中央側に向かって収縮するよう弾性変形する。
【０００５】
このため、上記回転輪の回転時には、円板体の外周面の軸方向の端部に対する上記環状体の軸方向の端部の接着部に、引張応力が集中的に生じることとなり、よって、上記円板体の外周面の軸方向の端部を起点とし、この端部から上記中央部側に向かって上記環状体が徐々に剥離するおそれを生じる。
【０００６】
そこで、上記特許文献１では、上記環状体の剥離を防止するため、上記円板体の外周面の軸方向の端部に断面が円弧凸形状の突条体を一体的に突出させてあり、これにより、上記剥離を防止している。
【０００７】
【特許文献１】特公平７−４２４４９号公報
【発明の開示】
【発明が解決しようとする課題】
【０００８】
ところで、上記したように、円板体の外周面に突条体を突出させると、その分、円板体の成形作業が煩雑となり、つまり、回転輪の成形作業が煩雑となる。
【０００９】
また、上記突条体を設けた分、上記回転輪が重くなるという問題点もある。
【課題を解決するための手段】
【００１０】
本発明は、上記のような事情に注目してなされたもので、本発明の目的は、投球機における球の加速用の回転輪の成形作業が容易にできるようにすると共に、この回転輪を軽量にさせることである。
【００１１】
また、本発明の他の目的は、上記したように回転輪の成形作業が容易にできるようにした場合でも、投球機による球の投球精度が良好なままに維持されるようにすることである。
【００１２】
請求項１の発明は、互いに平行な各軸心３，３回りで互いに逆方向Ａ，Ａに回転可能とされる一対の回転輪６，６を並設し、上記各回転輪６，６が、上記軸心３上に位置する円板体９と、この円板体９の外周面１０に外嵌されてこの外周面１０に加硫接着されるゴム製の弾性環状体１１とを備え、互いに逆方向Ａ，Ａに回転する上記両回転輪６，６の両環状体１１，１１の外周面１２，１２に球２３が挟まれて、この球２３が投球されるようにした投球機において、
上記環状体１１の側面１６に、上記軸心３を中心とする環状溝１８を成形したものである。
【００１３】
請求項２の発明は、請求項１の発明に加えて、上記環状体１１の側面１６の径方向での中央部１９よりも、上記環状溝１８を上記径方向での内方側に位置させたものである。
【００１４】
請求項３の発明は、請求項１、もしくは２の発明に加えて、上記円板体９の径方向外端部における側面１５と、上記環状体１１の側面１６とをほぼ面一の連続面とし、上記円板体９における外周面１０と側面１５との角部２１を円弧凸形状となるよう面取り加工したものである。
【００１５】
なお、この項において、上記各用語に付記した符号は、本発明の技術的範囲を後述の「実施例」の項の内容に限定解釈するものではない。
【発明の効果】
【００１６】
本発明による効果は、次の如くである。
【００１７】
請求項１の発明は、互いに平行な各軸心回りで互いに逆方向に回転可能とされる一対の回転輪を並設し、上記各回転輪が、上記軸心上に位置する円板体と、この円板体の外周面に外嵌されてこの外周面に加硫接着されるゴム製の弾性環状体とを備え、互いに逆方向に回転する上記両回転輪の両環状体の外周面に球が挟まれて、この球が投球されるようにした投球機において、
上記環状体の側面に、上記軸心を中心とする環状溝を成形している。
【００１８】
ここで、上記したように回転輪が回転し、これに伴い上記環状体に遠心力が生じるとき、この環状体は弾性体であるため、この環状体は上記遠心力により径方向外方に向かって伸長するよう弾性変形し、また、これに伴い、この環状体はその軸方向の各端部が上記軸方向での中央側に向かって収縮するよう弾性変形する。
【００１９】
このため、上記回転輪の回転時には、円板体の外周面の軸方向の端部に対する上記環状体の軸方向の端部の接着部に、引張応力が集中的に生じがちとなる。
【００２０】
しかし、上記したように、環状体の側面に環状溝を成形したため、上記環状体の軸方向の端部の接着部に引張応力が集中的に生じることに代えて、上記環状溝の周りに引張応力が集中的に生じることとなる。ここで、この環状溝の周りは上記環状体により一体的に構成されていて十分の強度を有しており、このため、上記環状溝の周りが破断するということは防止される。
【００２１】
よって、上記円板体の外周面からの環状体の剥離を防止するため、前記特許文献１では、円板体の外周面に断面が円弧凸形状の突条体を突出させていたが、これに比べ、上記発明によれば、上記突条体を不要として上記環状体の側面に構造が単純な環状溝を成形したのであって、このような環状溝の成形作業は型成形によるなど極めて容易であり、この結果、投球機における回転輪の成形作業は極めて容易となる。
【００２２】
また、上記した従来の突条体が不要となる分、上記回転輪はより軽量にできる。
【００２３】
請求項２の発明は、上記環状体の側面の径方向での中央部よりも、上記環状溝を上記径方向での内方側に位置させている。
【００２４】
このため、上記環状体の径方向で、その外周面から上記環状溝に至るこの環状体の部分の肉厚が薄くなることは抑制され、この環状体の部分には所定の剛性が確保される。
【００２５】
よって、上記回転輪が回転して環状体が上記のように弾性変形する場合でも、上記環状体の外周面は所定形状に保持され、このため、上記両環状体の外周面間に球を挟んで投球するときの投球精度は、上記環状溝を設けたことにかかわらず、良好なままに維持される。
【００２６】
請求項３の発明は、上記円板体の径方向外端部における側面と、上記環状体の側面とをほぼ面一の連続面とし、上記円板体における外周面と側面との角部を円弧凸形状となるよう面取り加工してある。
【００２７】
ここで、上記回転輪が回転して環状体が上記のように弾性変形する場合、仮に、上記円板体の外周面の軸方向の端部が単に軸方向に直線的に延びた形状であるとすると、この外周面の端部に対する環状体の軸方向の端部の接着部には引張応力が生じがちとなり、これが生じると、上記円板体の外周面から環状体が剥離しがちとなる。
【００２８】
そこで、上記したように、円板体の外周面の軸方向の端部に対応する角部を円弧凸形状になるよう面取り加工したのであり、これによれば、この角部に対する上記環状体の軸方向の端部の接着部には剪断応力が生じることとなり、このため、上記引張応力が生じることに比べ、上記円板体の外周面から環状体が剥離することは、より確実に防止される。
【発明を実施するための最良の形態】
【００２９】
本発明の投球機における回転輪構造に関し、投球機における球の加速用の回転輪の成形作業が容易にできるようにすると共に、この回転輪を軽量にさせるという目的を実現するため、本発明を実施するための最良の形態は、次の如くである。
【００３０】
即ち、互いに平行な各軸心回りで互いに逆方向に回転可能とされる一対の回転輪が並設されて、これらは架台に支承されている。また、上記各回転輪は、上記軸心上に位置する円板体と、この円板体の外周面に外嵌されてこの外周面に加硫接着されるゴム製の弾性環状体とを備えている。そして、互いに逆方向に回転する上記両回転輪の両環状体の外周面に球が挟まれて、この球が投球される。上記環状体の側面に、上記軸心を中心とする環状溝を成形し、回転輪の回転時、上記円板体の外周面の軸方向の端部に対する上記環状体の軸方向の端部の接着部に引張応力が集中的に生じることに代えて、上記環状溝の周りに引張応力が集中的に生じるようにし、上記接着部の剥離を防止している。
【実施例】
【００３１】
本発明をより詳細に説明するために、その実施例を添付の図に従って説明する。
【００３２】
図において、符号１は、野球における打撃練習用の投球機で、この投球機１はグランド上に設置される架台２と、水平、かつ、互いに平行に延びて上下に配置される各軸心３，３回りにそれぞれ回転可能となるよう上記架台２に支承される上下一対の回転軸４，４と、上記各軸心３，３上で、上記各回転軸４，４に締結具５により支持され上記各軸心３，３回りで互いに逆方向Ａ，Ａに回転可能とされる上下一対の回転輪６，６とを備えている。これら両回転輪６，６は、互いに同形同大とされて、その径方向で互いに並設されている。
【００３３】
上記回転輪６は、上記軸心３上に位置して上記回転軸４に支持され円板形状をなす円板体９と、上記軸心３上に位置し上記円板体９の外周面１０に加硫接着されるゴム製の弾性環状体１１とを備えている。上記環状体１１の外周面１２は上記回転輪６の外周面であり、この外周面１２の周方向における各部断面は円弧凹形状とされている。
【００３４】
上記回転輪６の自由状態で、上記円板体の径方向での外端部における軸方向での各側面１５と、上記環状体１１の軸方向での各側面１６とは互いにほぼ面一とされ、かつ、互いに連続する平坦面とされ、この平坦面は上記軸心３に直交している。
【００３５】
上記環状体１１の各側面１６にはそれぞれ上記軸心３を中心とする環状溝１８が成形され、この環状溝１８は、上記軸心３回りで連続的に延び、かつ、その周方向の各部断面は互いに同形同大の円弧凹形状とされている。また、上記環状体１１の側面１６の径方向での中央部１９よりも、上記環状溝１８が上記径方向での内方側に位置させられている。
【００３６】
上記円板体９における外周面１０と側面１５との角部２１が円弧凸形状となるよう面取り加工されている。この角部２１の上記軸心３回りの周方向の各部断面は互いに同形同大とされている。この場合、角部２１の半径寸法よりも上記環状溝１８の深さ寸法が小さくされており、この環状溝１８の深さ寸法が過大になることが防止されている。
【００３７】
上記両回転輪６，６を互いに逆方向Ａ，Ａに回転駆動させる不図示の電動機が設けられている。また、互いに逆方向Ａ，Ａに回転する上記両回転輪６，６の外周面１２，１２間の空間２２に対し、球２３を案内して供給可能とするシュート２４が設けられている。上記各回転輪６の回転に伴い上記両外周面１２，１２が互いに接近する側である後方から上記空間２２に対し、上記シュート２４により球２３が供給可能とされる。
【００３８】
上記シュート２４を通し、上記空間２２に球２３が供給されると、この球２３は上記両環状体１１，１１の外周面１２，１２に挟まれ（図１，３中二点鎖線）、これら両外周面１２，１２から与えられる摩擦力により加速されて、前方に向かって勢いよく投球される（図２中実線）。
【００３９】
上記構成によれば、環状体１１の側面１６に、上記軸心３を中心とする環状溝１８を成形している。
【００４０】
ここで、上記したように回転輪６が回転し、これに伴い上記環状体１１に遠心力が生じると、この環状体１１は弾性体であるため、この環状体１１は上記遠心力により径方向外方に向かって伸長するよう弾性変形し、また、これに伴い、この環状体１１はその軸方向の各端部が上記軸方向での中央側に向かって収縮するよう弾性変形する（図１中一点鎖線）。
【００４１】
このため、上記回転輪６の回転時には、円板体９の外周面１０の軸方向の端部に対する上記環状体１１の軸方向の端部の接着部に、引張応力が集中的に生じがちとなる。
【００４２】
しかし、上記したように、環状体１１の側面１６に環状溝１８を成形したため、上記環状体１１の軸方向の端部の接着部に引張応力が集中的に生じることに代えて、上記環状溝１８の周りに引張応力が集中的に生じることとなる。ここで、この環状溝１８の周りは上記環状体１１により一体的に構成されていて十分の強度を有しており、このため、上記環状溝１８の周りが破断するということは防止される。しかも、上記環状溝１８の各部断面は円弧凹形状であるため、この環状溝１８の一部に応力集中が生じることも防止されて、この環状溝１８の周りが破断するということは、より確実に防止される。
【００４３】
よって、上記円板体９の外周面１０からの環状体１１の剥離を防止するため、前記特許文献１では、円板体９の外周面１０に断面が円弧凸形状の突条体を突出させていたが、これに比べ、上記構成によれば、上記突条体を不要として上記環状体１１の側面１６に構造が単純な環状溝１８を成形したのであって、このような環状溝１８の成形作業は型成形によるなど極めて容易であり、この結果、投球機１における回転輪６の成形作業は極めて容易となる。
【００４４】
また、上記した従来の突条体が不要となる分、上記回転輪６をより軽量にさせることができる。
【００４５】
また、前記したように、環状体１１の側面１６の径方向での中央部１９よりも、上記環状溝１８を上記径方向での内方側に位置させている。
【００４６】
このため、上記環状体１１の径方向で、その外周面１２から上記環状溝１８に至る環状体１１の部分の肉厚が薄くなることは抑制され、この環状体１１の部分には所定の剛性が確保される。
【００４７】
よって、上記回転輪６が回転して環状体１１が上記のように弾性変形する場合でも（図１中一点鎖線）、上記環状体１１の外周面１２は所定形状に保持され、このため、上記両環状体１１，１１の外周面１２，１２間に球２３を挟んで投球するときの投球精度は、上記環状溝１８を設けたことにかかわらず、良好なままに維持される。
【００４８】
また、前記したように、円板体９の径方向外端部における側面１５と、上記環状体１１の側面１６とをほぼ面一の連続面とし、上記円板体９における外周面１０と側面１５との角部２１を円弧凸形状となるよう面取り加工してある。
【００４９】
ここで、上記回転輪６が回転して環状体１１が上記のように弾性変形する場合（図１中一点鎖線）、仮に、上記円板体９の外周面１０の軸方向の端部が単に軸方向に直線的に延びた形状であるとすると、この外周面の端部に対する環状体１１の軸方向の端部の接着部には引張応力が生じがちとなり、これが生じると、上記円板体９の外周面１０から環状体１１が剥離しがちとなる。
【００５０】
そこで、上記したように、円板体９の外周面１０の軸方向の端部に対応する角部２１を円弧凸形状になるよう面取り加工したのであり、これによれば、この角部２１に対する上記環状体１１の軸方向の端部の接着部には剪断応力が生じることとなり、このため、上記引張応力が生じることに比べ、上記円板体９の外周面１０から環状体１１が剥離することは、より確実に防止される。
【００５１】
しかも、前記したように、環状体１１の側面１６の径方向での中央部１９よりも、上記環状溝１８を上記径方向での内方側に位置させてあり、このため、上記環状体１１の径方向で、上記環状溝１８から角部２１に至る環状体１１の部分の肉厚は薄くなり、よって、この環状体１１の部分に大きい応力が生じること自体が防止されて大きい弾性変形が可能となり、その分、上記円板体９の外周面１０から環状体１１が剥離することは、更に確実に防止される。
【図面の簡単な説明】
【００５２】
【図１】図３の部分拡大図である。
【図２】投球機の部分斜視図である。
【図３】投球機の部分後面部分断面図である。
【符号の説明】
【００５３】
１    投球機
２    架台
３    軸心
６    回転輪
９    円板体
１０  外周面
１１  環状体
１２  外周面
１５  側面
１６  側面
１８  環状溝
１９  中央部
２１  角部
２２  空間
２３  球
Ａ    逆方向
【図１】
2005034510.tif 000003
【図２】
2005034510.tif 000004
【図３】
2005034510.tif 000005